(57)【要約】      （修正有）【課題】外部からの力によって無理やり開かれることが防止される、防犯性能に優れる補助錠装置を提供する。【解決手段】内開き扉９の側縁に外嵌固定されて取り付けられ、その外端部１２が内開き扉９が取り付けられる扉枠１７の外面より外方に突出して位置する錠保持片３と、錠保持片３の外端部１２に係止されて取り付けられ、扉枠１７の外面に係止する扉枠係止部１３を備える扉閉止片５と、錠保持片３の外端部１２における扉閉止片５への係止位置より外方に突出する部位に取り付けられる錠本体４とからなる補助錠装置において、扉閉止片５に扉枠１７から離反する方向への力Ａがかかった際、扉閉止片５の離反を阻止する離反阻止部１８、１９が備えられている。離反阻止部１８には離反阻止部１９が力Ａ方向に挿通係止される係止穴が設けられている。【選択図】図３
0003185198.tif 000002
【実用新案登録請求の範囲】
【請求項１】
内開き扉の側縁に外嵌固定されて取り付けられ、その外端部が前記内開き扉が取り付けられる扉枠の外面より外方に突出して位置する錠保持片と、
前記錠保持片の前記外端部に係止されて取り付けられ、前記扉枠の外面に係止する扉枠係止部を備える扉閉止片と、
前記錠保持片の前記外端部における前記扉閉止片への係止位置より外方に突出する部位に取り付けられる錠本体と、
からなる補助錠装置において、
前記扉閉止片に前記扉枠から離反する方向への力がかかった際、前記扉閉止片の離反を阻止する離反阻止部が備えられてなることを特徴とする補助錠装置。
【請求項２】
前記離反阻止部が、前記錠保持片と前記扉閉止片とが前記内開き扉の近傍位置で互いに係止する係止構造である請求項１記載の補助錠装置。
【請求項３】
前記係止構造が、前記扉閉止片に形成された前記錠保持片側への立ち上がり片に設けられた係止穴に、前記錠保持片が挿通係止される構造である請求項２記載の補助錠装置。
【請求項４】
前記扉閉止片が前記錠保持片より剛性が大である請求項２または３記載の補助錠装置。
【考案の詳細な説明】
【技術分野】
【０００１】  この考案は、マンションの内開き扉等において後付けにより使用される補助錠装置に関する。
【背景技術】
【０００２】  最近、防犯の観点からマンション等の扉に後付けの補助錠が使用されることが多くなっている。図６、図７は従来における内開き扉において使用される補助錠装置を示す。補助錠装置１００は内開き扉１０１の側縁１０２に外嵌固定されて取り付けられる錠ホルダー１０５と、その錠ホルダー１０５に係止保持される扉ストッパー１１０と、錠ホルダー１０５の先端に取り付けられる南京錠１１２とから構成される。補助錠装置１００は、南京錠１１２が取り付けられることより錠ホルダー１０５の内方への移動ができなくなり、かつ、扉ストッパー１１０が扉枠１０４外面に係止することで、内開き扉１０１が開くことが阻止されるようになっている。
【考案の概要】
【考案が解決しようとする課題】
【０００３】  上記従来構成の補助錠装置１００においては、南京錠１１２部分に矢印Ｘ方向に大きな力がかけられると、南京錠１１２が取り付けられた錠ホルダー１０５にもその力が及び、錠ホルダー１０５は点線で示すように矢印Ｙ方向に変位する。さらに、その錠ホルダー１０５に連動して扉ストッパー１１０もスライド移動して点線で示すように変位し、その端部１０６が扉枠１０４から外れ、これにより内開き扉１０１が開かれることとなる。すなわち、扉ストッパー１１０がこじ開けられて内開き扉１０１が開かれる問題があった。【０００４】  この考案は上記の点に鑑みて行ったもので、外部から力によって無理やり開かれることが防止される、防犯性能に優れる補助錠装置を提供することを目的とする。
【課題を解決するための手段】
【０００５】  この考案では、内開き扉の側縁に外嵌固定されて取り付けられ、その外端部が前記内開き扉が取り付けられる扉枠の外面より外方に突出して位置する錠保持片と、前記錠保持片の前記外端部に係止されて取り付けられ、前記扉枠の外面に係止する扉枠係止部を備える扉閉止片と、前記錠保持片の前記外端部における前記扉閉止片への係止位置より外方に突出する部位に取り付けられる錠本体と、からなる補助錠装置において、前記扉閉止片に前記扉枠から離反する方向への力がかかった際、前記扉閉止片の離反を阻止する離反阻止部が備えられてなることを特徴とする補助錠装置を提供する。【０００６】  上記構成によれば、扉閉止片に扉枠から離反する方向への力がかかった際、扉  閉止片の離反を阻止する離反阻止部が備えられていることで、錠本体もしくは錠保持片の外端部に扉枠から離れる方向に大きな力がかかっても、扉閉止片の扉枠からの離反が阻止される。これにより扉閉止片の扉枠係止部が扉枠から外れることがなく、内開き扉が開かれることが防止される。離反阻止部は錠保持片、扉閉止片のどちらに設けられてもよい。【０００７】  離反阻止部が、錠保持片と扉閉止片とが内開き扉の近傍位置で互いに係止する係止構造とされることで、力がかかった際のその係止位置における錠保持片の変位量が小さくなり、したがってこれに連動する扉閉止片の移動もほとんどなく、扉閉止片の離反阻止機能が良好に果たされる。【０００８】  離反阻止部となる係止構造は、扉閉止片に形成された錠保持片側への立ち上げ部に設けられた係止穴に錠保持片が挿通係止される構造とされることで、容易に安定した構造のものが形成される。【０００９】  扉閉止片が錠保持片より剛性が大である構成とされることで、錠保持片側からかかる力が扉閉止片で安定して受けられる構造となる。
【考案の効果】
【００１０】  この考案によれば、外部から力によって無理やり開かれることが防止される、防犯性能に優れる補助錠装置が得られる。
【図面の簡単な説明】
【００１１】
【図１】  この考案の補助錠装置の実施形態の外観斜視図
【図２】  この考案の補助錠装置で使用する扉ストッパーの実施形態の外観斜視図
【図３】  この考案の補助錠装置の実施形態の使用説明図
【図４】  この考案の補助錠装置の実施形態の異なる使用説明図
【図５】  この考案の補助錠装置の他の実施形態の外観斜視図
【図６】  従来の補助錠装置の外観斜視図
【図７】  従来の補助錠装置の使用説明図
【考案を実施するための形態】
【００１２】  図１はこの考案の補助錠装置の外観斜視図、図２は同補助錠装置に用いる扉ストッパーの外観斜視図、図３は同補助錠装置の使用説明図である。
【００１３】  補助錠装置１は鉄片が折り曲げ、打ち抜き加工された錠ホルダー（錠保持片）３及び扉ストッパー（扉閉止片）５と、南京錠４とからなり、その基本構成、及びその基本作用は従来構成のものと同様である。
【００１４】  錠ホルダー３は嵌合取り付け部７を備え、その嵌合取り付け部７が内開き扉９の側縁１０に外嵌されてネジ固定具１１が締め付けられることで、その外端部１２が内開き扉９が取り付けられる扉枠１７外面より外方に突出するように取り付け固定される。外端部１２には南京錠４の係止穴６が設けられている。
【００１５】  扉ストッパー５は扉枠係止部１３、中間部１４、扉当接部１５が折れ曲がり状態に連続し、扉枠係止部１３には錠ホルダー３の外端部１２が挿通係止される係止穴１６が設けられている。中間部１４の扉当接部１５の近傍には切り込みが形成されることで立ち上げられた立ち上げ部１８が形成され、その立ち上げ部１８には錠ホルダー３の中間部１９が挿通係止される係止穴２０が設けられている。扉ストッパー５に使用する鉄片は錠ホルダー３に使用するものよりその厚みが大きく、扉ストッパー５は錠ホルダー３より剛性が大きくされている。上記扉ストッパー５の立ち上げ部１８の係止穴２０に錠ホルダー３の中間部１９が挿通係止される構成により、この考案の離反阻止部となる係止構造が構成される。
【００１６】  南京錠４はその係止部２２が錠ホルダー３の外端部１２の係止穴６に係止されてロック状態に取り付けられる。
【００１７】  以下、上記補助錠装置１の施錠工程を説明する。まず、錠ホルダー３を内開き扉９の側縁１０に取り付ける。錠ホルダー３は予め取り付けておいてもよい。次に、内開き扉９を閉めた状態として、外部から錠ホルダー３に扉ストッパー５を装着する。装着は扉ストッパー５の係止穴１６、係止穴２０に錠ホルダー３の外端部１２、中間部１９をそれぞれ挿通係止するように行う。次に、錠ホルダー３の外端部１２の係止穴６に係止部２２を係止し南京錠４を取り付けてロックする。このように南京錠４が取り付けられることで扉ストッパー５の係止穴１６から錠ホルダー３の外端部１２が内方に抜けなくなり、かつ、扉枠係止部１３が扉枠１７に係止しているので、内開き扉９に開き方向の力が働いてもその開き動作が阻止される。
【００１８】  上記施錠状態において、南京錠４もしくは錠ホルダー３の外端部１２に扉枠１７から離れる矢印Ａ方向に大きな力がかかっても、錠ホルダー３の中間部１９が扉ストッパー５の立ち上げ部１８の係止穴２０に係止し、扉ストッパー５は錠ホルダー３に対して内開き扉９の近傍において位置決めされていることで錠ホルダー３の外端部１２に連動してスライド移動することはない。
【００１９】  矢印Ａ方向に大きな力がかかった際、錠ホルダー３の中間部１９はその基端２５を軸として矢印Ｂ方向に回転変位するが、その変位量は内開き扉９に近い上記の係止穴２０位置においてはきわめて小さく、したがって扉ストッパー５のスライド移動はほとんど発生しない。その際、錠ホルダー３よりかかる扉ストッパー５への力は内開き扉９面に当接している扉当接部１５により受け止められ、また、扉ストッパー５の剛性が大きいことで中間部１４の基端２６位置での折れ曲がりの発生も回避される。これにより、扉ストッパー５が開かれないことで扉枠係止部１３の端部２８が扉枠１７から外れることがなく、内開き扉９が開かれることが防止される。
【００２０】  図４は上記補助錠装置１をスペーサーを使用して取り付けた状態を示す。３箇所においてスペーサー３０を使用して取り付けたことで、補助錠装置１がガタツクことなく安定して取り付けられている。
【００２１】  図５は他の実施形態を示し、このものではボールロック錠３２を使用している。ボールロック錠３２は施錠されることで内部のボールが錠ホルダー３の外端部１２の係止穴６に係止してロック状態となり、その状態において上記の南京錠４を用いた場合と同様に内開き扉９の開き動作が防止される。
【符号の説明】
【００２２】１  補助錠装置
３  錠ホルダー（錠保持片）
４  南京錠（錠本体）
５  扉ストッパー（扉閉止片）
１８  立ち上げ部（離反阻止部）
１９  中間部（離反阻止部）
２０  係止穴（離反阻止部）
【図１】
0003185198.tif 000003
【図２】
0003185198.tif 000004
【図３】
0003185198.tif 000005
【図４】
0003185198.tif 000006
【図５】
0003185198.tif 000007
【図６】
0003185198.tif 000008
【図７】
0003185198.tif 000009